(57)【要約】【課題】  映像データの再生動作における映像の連続性について改善した光ディスク再生装置、記録再生装置、再生方法、記録再生方法、プログラム及び記録媒体を提供する。【解決手段】  再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。従って、映像データの再生動作における映像の連続性について改善することができる。【選択図】  図１
2007026500.tif 000002
【特許請求の範囲】
【請求項１】
ディスク状記録媒体に記録されたデータを再生して再生データを出力するデータ再生手段と、前記再生データを誤り訂正処理する誤り訂正手段とを備えた光ディスク再生装置において、
前記誤り訂正手段により正常な誤り訂正が行われなかった場合、以降の再生要求に対して一定時間、エラー応答を即座に行う制御手段を備えたことを特徴とする光ディスク再生装置。
【請求項２】
ディスク状記録媒体に記録されたデータを再生して再生データを出力するデータ再生手段と、前記再生データを誤り訂正処理する誤り訂正手段と、前記誤り訂正手段の出力データを一時保持して後段の処理に出力するバッファメモリとを備えた光ディスク再生装置において、
前記誤り訂正手段により誤り訂正困難な再生データが検出、もしくはデータ再生動作自体が失敗したことを検出した場合、以降の再生要求に対して一定時間、エラー応答を即座に行う制御手段を備えたことを特徴とする光ディスク再生装置。
【請求項３】
請求項１または２記載の光ディスク再生装置において、
前記ディスク状記録媒体のデータフォーマットを判別する判別手段及び、再生動作時の転送レートを測定する測定手段を有し、前記制御手段は、読み出し動作エラー発生後の再生要求指示に対してエラーの応答回数を決定することを特徴とする光ディスク再生装置。
【請求項４】
請求項１から３のいずれか１項記載の光ディスク再生装置において、
前記制御手段は、サーボ動作失敗時、エラー応答を行う動作中のピックアップ位置制御において、エラー発生アドレスより任意のアドレス分オフセットを付加して再度、サーボ制御を再開する動作を行うことを特徴とする光ディスク再生装置。
【請求項５】
請求項１から４のいずれか１項記載の光ディスク再生装置において、
再生動作指示にてストリーミング動作要求があるときのみ以降の再生要求に対して一定時間、エラー応答を行うかあるいは読み出し動作エラー発生後の再生要求指示に対してエラー応答回数を決定することを特徴とする光ディスク再生装置。
【請求項６】
請求項１から５のいずれか１項に記載の光ディスク再生装置において、
エラー発生後の再生要求指示に対してエラー応答する一定期間の時間を設定するための外部インターフェースを備えたことを特徴とする光ディスク再生装置。
【請求項７】
請求項１から６のいずれか１項に記載の光ディスク再生装置において、
再生動作でエラーが発生し、前記ディスク状記録媒体より所望のデータの読み出しに失敗した場合、ダミーデータを出力するか、一定期間エラー応答するかの動作を設定するための外部インターフェースを備えたことを特徴とする光ディスク再生装置。
【請求項８】
ディスク状記録媒体にデータを記録するデータ記録手段と、
ディスク状記録媒体に記録されたデータを再生して再生データを出力するデータ再生手段と、前記再生データを誤り訂正処理する誤り訂正手段とを備えた光ディスク記録再生装置において、
前記誤り訂正手段により正常な誤り訂正が行われなかった場合、以降の再生要求に対して一定時間、エラー応答を即座に行う制御手段を備えたことを特徴とする光ディスク記録再生装置。
【請求項９】
ディスク状記録媒体にデータを記録するデータ記録手段と、
ディスク状記録媒体に記録されたデータを再生して再生データを出力するデータ再生手段と、前記再生データを誤り訂正処理する誤り訂正手段と、前記誤り訂正手段の出力データを一時保持して後段の処理に出力するバッファメモリとを備えた光ディスク記録再生装置において、
前記誤り訂正手段により誤り訂正困難な再生データが検出、もしくはデータ再生動作自体が失敗したことを検出した場合、以降の再生要求に対して一定時間、エラー応答を即座に行う制御手段を備えたことを特徴とする光ディスク記録再生装置。
【請求項１０】
ディスク状記録媒体に記録されたデータを再生して再生データを出力し、前記再生データを誤り訂正処理する光ディスク再生方法において、
正常な誤り訂正が行われなかった場合、以降の再生要求に対して一定時間、エラー応答を即座に行うことを特徴とする光ディスク再生方法。
【請求項１１】
ディスク状記録媒体に記録されたデータを再生して再生データを出力し、前記再生データの誤り訂正処理を行い、誤り訂正処理された出力データを一時保持して後段の処理に出力する光ディスク再生方法において、
誤り訂正困難な再生データが検出、もしくはデータ再生動作自体が失敗したことを検出した場合、以降の再生要求に対して一定時間、エラー応答を即座に行うことを特徴とする光ディスク再生方法。
【請求項１２】
ディスク状記録媒体にデータを記録し、ディスク状記録媒体に記録されたデータを再生して再生データを出力し、前記再生データを誤り訂正処理する光ディスク記録再生方法において、
正常な誤り訂正が行われなかった場合、以降の再生要求に対して一定時間、エラー応答を即座に行うことを特徴とする光ディスク記録再生方法。
【請求項１３】
ディスク状記録媒体にデータを記録し、ディスク状記録媒体に記録されたデータを再生して再生データを出力し、前記再生データを誤り訂正処理し、誤り訂正処理された出力データを一時保持して後段の処理に出力する光ディスク記録再生方法において、
誤り訂正困難な再生データが検出、もしくはデータ再生動作自体が失敗したことを検出した場合、以降の再生要求に対して一定時間、エラー応答を即座に行うことを特徴とする光ディスク記録再生方法。
【請求項１４】
装置の実質的なコンピュータに、ディスク状記録媒体に記録されたデータを再生して再生データを出力する処理、前記再生データを誤り訂正処理する処理を実行させる光ディスク再生プログラムにおいて、
前記コンピュータに、正常な誤り訂正が行われなかった場合、以降の再生要求に対して一定時間、エラー応答を即座に行う処理を実行させることを特徴とする光ディスク再生プログラム。
【請求項１５】
装置の実質的なコンピュータに、ディスク状記録媒体に記録されたデータを再生して再生データを出力する処理、誤り訂正手段により前記再生データの誤り訂正を行う処理、バッファメモリにより前記誤り訂正手段の出力データを一時保持して後段の処理に出力する処理を実行させる光ディスク再生プログラムにおいて、
前記コンピュータに、前記誤り訂正手段により誤り訂正困難な再生データが検出、もしくはデータ再生動作自体が失敗したことを検出した場合、以降の再生要求に対して一定時間、エラー応答を即座に行う処理を実行させることを特徴とする光ディスク再生プログラム。
【請求項１６】
装置の実質的なコンピュータに、ディスク状記録媒体にデータを記録するデータ記録処理、ディスク状記録媒体に記録されたデータを再生して再生データを出力するデータ再生処理、前記再生データを誤り訂正処理する誤り訂正処理を実行させる光ディスク記録再生プログラムにおいて、
前記コンピュータに、正常な誤り訂正が行われなかった場合、以降の再生要求に対して一定時間、エラー応答を即座に行う処理を実行させることを特徴とする光ディスク記録再生プログラム。
【請求項１７】
装置の実質的なコンピュータに、ディスク状記録媒体にデータを記録するデータ記録処理、ディスク状記録媒体に記録されたデータを再生して再生データを出力するデータ再生処理と、前記再生データを誤り訂正処理する誤り訂正処理、バッファメモリに前記誤り訂正手段の出力データを一時保持して後段の処理に出力する処理を実行させる光ディスク記録再生プログラムにおいて、
前記コンピュータに、誤り訂正手段により誤り訂正困難な再生データが検出、もしくはデータ再生動作自体が失敗したことを検出した場合、以降の再生要求に対して一定時間、エラー応答を即座に行う処理を実行させることを特徴とする光ディスク記録再生プログラム。
【請求項１８】
装置の実質的なコンピュータに、ディスク状記録媒体に記録されたデータを再生して再生データを出力する処理、前記再生データを誤り訂正処理する処理を実行させる光ディスク再生プログラムを記録した記録媒体において、
前記コンピュータに、正常な誤り訂正が行われなかった場合、以降の再生要求に対して一定時間、エラー応答を即座に行う処理を実行させる光ディスク再生プログラムを記録したことを特徴とする記録媒体。
【請求項１９】
装置の実質的なコンピュータに、ディスク状記録媒体に記録されたデータを再生して再生データを出力する処理、誤り訂正手段により前記再生データの誤り訂正を行う処理、バッファメモリにより前記誤り訂正手段の出力データを一時保持して後段の処理に出力する処理を実行させる光ディスク再生プログラムを記録した記録媒体において、
前記コンピュータに、前記誤り訂正手段により誤り訂正困難な再生データが検出、もしくはデータ再生動作自体が失敗したことを検出した場合、以降の再生要求に対して一定時間、エラー応答を即座に行う処理を実行させる光ディスク再生プログラムを記録したことを特徴とする記録媒体。
【請求項２０】
装置の実質的なコンピュータに、ディスク状記録媒体にデータを記録するデータ記録処理、ディスク状記録媒体に記録されたデータを再生して再生データを出力するデータ再生処理、前記再生データを誤り訂正処理する誤り訂正処理を実行させる光ディスク記録再生プログラムを記録した記録媒体において、
前記コンピュータに、正常な誤り訂正が行われなかった場合、以降の再生要求に対して一定時間、エラー応答を即座に行う処理を実行させる光ディスク記録再生プログラムを記録したことを特徴とする記録媒体。
【請求項２１】
装置の実質的なコンピュータに、ディスク状記録媒体にデータを記録するデータ記録処理、ディスク状記録媒体に記録されたデータを再生して再生データを出力するデータ再生処理と、前記再生データを誤り訂正処理する誤り訂正処理、バッファメモリに前記誤り訂正手段の出力データを一時保持して後段の処理に出力する処理を実行させる光ディスク記録再生プログラムを記録した記録媒体において、
前記コンピュータに、誤り訂正手段により誤り訂正困難な再生データが検出、もしくはデータ再生動作自体が失敗したことを検出した場合、以降の再生要求に対して一定時間、エラー応答を即座に行う処理を実行させる光ディスク記録再生プログラムを記録したことを特徴とする記録媒体。
【発明の詳細な説明】
【技術分野】
【０００１】
本発明は、光ディスク再生装置、記録再生装置、再生方法、記録再生方法、プログラム及び記録媒体に関する。
【背景技術】
【０００２】
現在、映像データをディスク状記録媒体（以下「ディスク」という）に記録したVideo CDや、DVD Videoディスクが広く普及している。
これらのディスクを再生する際、ディスク上にキズや汚れなどによるいわゆるディフェクト部が存在するとその部分のデータが正常に読み出しできずに、結果として映像が乱れたり一時的に静止状態となってしまったりすることがある。
Video CDやDVD Videoディスク用途で利用される映像用のディスク再生動作は、ＰＣ（パーソナルコンピュータ）用途などで利用されるデータ用のディスク再生動作とは異なり、映像データの再生動作ではデータの信頼性より、連続性が重要とされる。
【０００３】
この連続性を重視した映像データ用の再生動作、特にエラー発生時のディスク再生装置での処理動作について提案されている。
ディスク再生装置の制御コマンドを規定しているATAPIコマンドプロトコル規格で既にストリーミング動作として、映像データ再生時のエラー処理が規定されている。これはデータの連続性を重視するため、仮にデータのエラー訂正処理によって訂正が出来なかった場合でも正常動作と同様に不正なデータあると思われるデータをそのまま出力するようにすることによりエラーリトライ処理による時間的な処理の遅延を防ぎ、映像データの連続性を保証するような動作が推奨されている。また、サーボエラー等の発生によりデータが全く読み出せない場合、予め用意しておいたダミーデータを転送することが提案されている（例えば、特許文献１参照）。
【特許文献１】特開２００１−３５７６３７号公報
【発明の開示】
【発明が解決しようとする課題】
【０００４】
ところで、上述した先行技術において、ダミーデータを転送する場合、映像データの処理部においてエラーが発生する。このエラーにより映像が中断または一時的な静止状態となることがある。映像データ処理方法によっては、かえって映像の連続性を損なう場合があった。
そこで、本発明の目的は、上記課題を解決するため、映像データの再生動作における映像の連続性について改善した光ディスク再生装置、記録再生装置、再生方法、記録再生方法、プログラム及び記録媒体を提供することにある。
【課題を解決するための手段】
【０００５】
上記課題を解決するため、請求項１記載の発明は、ディスク状記録媒体に記録されたデータを再生して再生データを出力するデータ再生手段と、前記再生データを誤り訂正処理する誤り訂正手段とを備えた光ディスク再生装置において、前記誤り訂正手段により正常な誤り訂正が行われなかった場合、以降の再生要求に対して一定時間、エラー応答を即座に行う制御手段を備えたことを特徴とする。
【０００６】
請求項１記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【０００７】
請求項２記載の発明は、ディスク状記録媒体に記録されたデータを再生して再生データを出力するデータ再生手段と、前記再生データを誤り訂正処理する誤り訂正手段と、前記誤り訂正手段の出力データを一時保持して後段の処理に出力するバッファメモリとを備えた光ディスク再生装置において、前記誤り訂正手段により誤り訂正困難な再生データが検出、もしくはデータ再生動作自体が失敗したことを検出した場合、以降の再生要求に対して一定時間、エラー応答を即座に行う制御手段を備えたことを特徴とする。
【０００８】
請求項２記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【０００９】
請求項３記載の発明は、請求項１または２記載の光ディスク再生装置において、前記ディスク状記録媒体のデータフォーマットを判別する判別手段及び、再生動作時の転送レートを測定する測定手段を有し、前記制御手段は、読み出し動作エラー発生後の再生要求指示に対してエラーの応答回数を決定することを特徴とする。
【００１０】
請求項３記載の発明によれば、ディスク状記録媒体に記録されたデータのビットレートから映像データが欠落した時間を算出することができ、ディスク状記録媒体上の欠陥部などの再生動作への影響を最小限にすることが出来る。
【００１１】
請求項４記載の発明は、請求項１から３のいずれか１項記載の光ディスク再生装置において、前記制御手段は、サーボ動作失敗時、エラー応答を行う動作中のピックアップ位置制御において、エラー発生アドレスより任意のアドレス分オフセットを付加して再度、サーボ制御を再開する動作を行うことを特徴とする。
【００１２】
請求項４記載の発明によれば、ディスク状記録媒体上の欠陥部を避けてサーボ動作を復帰することが出来るため、不用意なサーボリトライ動作による再生要求への応答時間の遅延を防ぐことが出来る。
【００１３】
請求項５記載の発明は、請求項１から４のいずれか１項記載の光ディスク再生装置において、再生動作指示にてストリーミング動作要求があるときのみ以降の再生要求に対して一定時間、エラー応答を行うかあるいは読み出し動作エラー発生後の再生要求指示に対してエラー応答回数を決定することを特徴とする。
【００１４】
請求項５記載の発明によれば、再生動作指示にてストリーミング動作要求があるときのみ以降の再生要求に対して一定時間、エラー応答を行うかあるいは読み出し動作エラー発生後の再生要求指示に対してエラーの応答回数を決定することにより、ディスク状記録媒体上のファイナルシステムデータ部の読み出しなどではこのストリーミング動作を行わないことで、再生動作の信頼性が保証される。
【００１５】
請求項６記載の発明は、請求項１から５のいずれか１項に記載の光ディスク再生装置において、エラー発生後の再生要求指示に対してエラー応答する一定期間の時間を設定するための外部インターフェースを備えたことを特徴とする。
【００１６】
請求項６記載の発明によれば、ビデオシステム制御部の映像データ復調部の動作仕様に合わせて、エラー即応する時間を調整することが可能となり、映像再生動作の最適化を図ることが出来る。
【００１７】
請求項７記載の発明は、請求項１から６のいずれか１項に記載の光ディスク再生装置において、再生動作でエラーが発生し、前記ディスク状記録媒体より所望のデータの読み出しに失敗した場合、ダミーデータを出力するか、一定期間エラー応答するかの動作を設定するための外部インターフェースを備えたことを特徴とする。
【００１８】
請求項７記載の発明によれば、ビデオシステム制御部の映像データ復調部の動作仕様に合わせて、ダミーデータ送信もしくはエラー即応答するかを選択することで、ビデオシステム制御部と光ディスク再生装置との組み合わせの選択肢を増やすことができる。
【００１９】
請求項８記載の発明は、ディスク状記録媒体にデータを記録するデータ記録手段と、ディスク状記録媒体に記録されたデータを再生して再生データを出力するデータ再生手段と、前記再生データを誤り訂正処理する誤り訂正手段とを備えた光ディスク記録再生装置において、前記誤り訂正手段により正常な誤り訂正が行われなかった場合、以降の再生要求に対して一定時間、エラー応答を即座に行う制御手段を備えたことを特徴とする。
【００２０】
請求項８記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００２１】
請求項９記載の発明は、ディスク状記録媒体にデータを記録するデータ記録手段と、ディスク状記録媒体に記録されたデータを再生して再生データを出力するデータ再生手段と、前記再生データを誤り訂正処理する誤り訂正手段と、前記誤り訂正手段の出力データを一時保持して後段の処理に出力するバッファメモリとを備えた光ディスク記録再生装置において、前記誤り訂正手段により誤り訂正困難な再生データが検出、もしくはデータ再生動作自体が失敗したことを検出した場合、以降の再生要求に対して一定時間、エラー応答を即座に行う制御手段を備えたことを特徴とする。
【００２２】
請求項９記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００２３】
請求項１０記載の発明は、ディスク状記録媒体に記録されたデータを再生して再生データを出力し、前記再生データを誤り訂正処理する光ディスク再生方法において、正常な誤り訂正が行われなかった場合、以降の再生要求に対して一定時間、エラー応答を即座に行うことを特徴とする。
【００２４】
請求項１０記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００２５】
請求項１１記載の発明は、ディスク状記録媒体に記録されたデータを再生して再生データを出力し、前記再生データの誤り訂正処理を行い、誤り訂正処理された出力データを一時保持して後段の処理に出力する光ディスク再生方法において、誤り訂正困難な再生データが検出、もしくはデータ再生動作自体が失敗したことを検出した場合、以降の再生要求に対して一定時間、エラー応答を即座に行うことを特徴とする。
【００２６】
請求項１１記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００２７】
請求項１２記載の発明は、ディスク状記録媒体にデータを記録し、ディスク状記録媒体に記録されたデータを再生して再生データを出力し、前記再生データを誤り訂正処理する光ディスク記録再生方法において、正常な誤り訂正が行われなかった場合、以降の再生要求に対して一定時間、エラー応答を即座に行うことを特徴とする。
【００２８】
請求項１２記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００２９】
請求項１３記載の発明は、ディスク状記録媒体にデータを記録し、ディスク状記録媒体に記録されたデータを再生して再生データを出力し、前記再生データを誤り訂正処理し、誤り訂正処理された出力データを一時保持して後段の処理に出力する光ディスク記録再生方法において、誤り訂正困難な再生データが検出、もしくはデータ再生動作自体が失敗したことを検出した場合、以降の再生要求に対して一定時間、エラー応答を即座に行うことを特徴とする。
【００３０】
請求項１３記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００３１】
請求項１４記載の発明は、装置の実質的なコンピュータに、ディスク状記録媒体に記録されたデータを再生して再生データを出力する処理、前記再生データを誤り訂正処理する処理を実行させる光ディスク再生プログラムにおいて、前記コンピュータに、正常な誤り訂正が行われなかった場合、以降の再生要求に対して一定時間、エラー応答を即座に行う処理を実行させることを特徴とする。
【００３２】
請求項１４記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００３３】
請求項１５記載の発明は、装置の実質的なコンピュータに、ディスク状記録媒体に記録されたデータを再生して再生データを出力する処理、誤り訂正手段により前記再生データの誤り訂正を行う処理、バッファメモリにより前記誤り訂正手段の出力データを一時保持して後段の処理に出力する処理を実行させる光ディスク再生プログラムにおいて、  前記コンピュータに、前記誤り訂正手段により誤り訂正困難な再生データが検出、もしくはデータ再生動作自体が失敗したことを検出した場合、以降の再生要求に対して一定時間、エラー応答を即座に行う処理を実行させることを特徴とする。
【００３４】
請求項１５記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００３５】
請求項１６記載の発明は、装置の実質的なコンピュータに、ディスク状記録媒体にデータを記録するデータ記録処理、ディスク状記録媒体に記録されたデータを再生して再生データを出力するデータ再生処理、前記再生データを誤り訂正処理する誤り訂正処理を実行させる光ディスク記録再生プログラムにおいて、前記コンピュータに、正常な誤り訂正が行われなかった場合、以降の再生要求に対して一定時間、エラー応答を即座に行う処理を実行させることを特徴とする。
【００３６】
請求項１６記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００３７】
請求項１７記載の発明は、装置の実質的なコンピュータに、ディスク状記録媒体にデータを記録するデータ記録処理、ディスク状記録媒体に記録されたデータを再生して再生データを出力するデータ再生処理と、前記再生データを誤り訂正処理する誤り訂正処理、バッファメモリに前記誤り訂正手段の出力データを一時保持して後段の処理に出力する処理を実行させる光ディスク記録再生プログラムにおいて、前記コンピュータに、誤り訂正手段により誤り訂正困難な再生データが検出、もしくはデータ再生動作自体が失敗したことを検出した場合、以降の再生要求に対して一定時間、エラー応答を即座に行う処理を実行させることを特徴とする。
【００３８】
請求項１７記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００３９】
請求項１８記載の発明は、装置の実質的なコンピュータに、ディスク状記録媒体に記録されたデータを再生して再生データを出力する処理、前記再生データを誤り訂正処理する処理を実行させる光ディスク再生プログラムを記録した記録媒体において、前記コンピュータに、正常な誤り訂正が行われなかった場合、以降の再生要求に対して一定時間、エラー応答を即座に行う処理を実行させる光ディスク再生プログラムを記録したことを特徴とする。
【００４０】
請求項１８記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００４１】
請求項１９記載の発明は、装置の実質的なコンピュータに、ディスク状記録媒体に記録されたデータを再生して再生データを出力する処理、誤り訂正手段により前記再生データの誤り訂正を行う処理、バッファメモリにより前記誤り訂正手段の出力データを一時保持して後段の処理に出力する処理を実行させる光ディスク再生プログラムを記録した記録媒体において、前記コンピュータに、前記誤り訂正手段により誤り訂正困難な再生データが検出、もしくはデータ再生動作自体が失敗したことを検出した場合、以降の再生要求に対して一定時間、エラー応答を即座に行う処理を実行させる光ディスク再生プログラムを記録したことを特徴とする。
【００４２】
請求項１９記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００４３】
請求項２０記載の発明は、装置の実質的なコンピュータに、ディスク状記録媒体にデータを記録するデータ記録処理、ディスク状記録媒体に記録されたデータを再生して再生データを出力するデータ再生処理、前記再生データを誤り訂正処理する誤り訂正処理を実行させる光ディスク記録再生プログラムを記録した記録媒体において、前記コンピュータに、正常な誤り訂正が行われなかった場合、以降の再生要求に対して一定時間、エラー応答を即座に行う処理を実行させる光ディスク記録再生プログラムを記録したことを特徴とする。
【００４４】
請求項２０記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００４５】
請求項２１記載の発明は、装置の実質的なコンピュータに、ディスク状記録媒体にデータを記録するデータ記録処理、ディスク状記録媒体に記録されたデータを再生して再生データを出力するデータ再生処理と、前記再生データを誤り訂正処理する誤り訂正処理、バッファメモリに前記誤り訂正手段の出力データを一時保持して後段の処理に出力する処理を実行させる光ディスク記録再生プログラムを記録した記録媒体において、前記コンピュータに、誤り訂正手段により誤り訂正困難な再生データが検出、もしくはデータ再生動作自体が失敗したことを検出した場合、以降の再生要求に対して一定時間、エラー応答を即座に行う処理を実行させる光ディスク記録再生プログラムを記録したことを特徴とする。
【００４６】
請求項２１記載の発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【発明の効果】
【００４７】
本発明によれば、再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。従って、映像データの再生動作における映像の連続性について改善することができる。
【発明を実施するための最良の形態】
【００４８】
本発明に係る光ディスク再生装置の一実施形態は、ディスク状記録媒体に記録されたデータを再生して再生データを出力するデータ再生手段と、再生データを誤り訂正処理する誤り訂正手段とを備えた光ディスク再生装置において、誤り訂正手段により正常な誤り訂正が行われなかった場合、以降の再生要求に対して一定時間（サーボエラー等が発生してから復帰するまでの時間、例えば１秒〜３秒）エラー応答を行う制御手段を備えたことを特徴とする。
ディスク状記録媒体としては、例えば、Video CDや、DVD Videoディスク、すなわち、DVD-R、DVD+R、DVD-RW、DVD+RW、DVD-RAM、DVD+RAM等が挙げられる。また、ディスク状記録媒体としてはCD-R、CD-RWを含む。
データ再生手段としては、例えば、フォトトランジスタ（もしくはフォトダイオード）を有するピックアップが挙げられる。
制御手段としては、例えば、マイクロプロセッサが挙げられ装置を統括制御する。
誤り訂正手段としては、例えば、ランダム誤り訂正符号とインタリーブとを用いて誤りを検出して訂正するソフトウェア上の手段が挙げられる。
【００４９】
本発明に係る光ディスク再生装置の他の実施形態は、ディスク状記録媒体に記録されたデータを再生して再生データを出力するデータ再生手段と、再生データを誤り訂正処理する誤り訂正手段と、誤り訂正手段の出力データを一時保持して後段の処理に出力するバッファメモリとを備えた光ディスク再生装置において、誤り訂正手段により誤り訂正困難な再生データが検出、もしくはデータ再生動作自体が失敗したことを検出した場合、以降の再生要求に対して一定時間、エラー応答を行う制御手段を備えたことを特徴とする。
【００５０】
本発明に係る光ディスク再生装置の他の実施形態は、上記構成に加え、ディスク状記録媒体のデータフォーマットを判別する判別手段及び、再生動作時の転送レートを測定する測定手段を有し、制御手段は、読み出し動作エラー発生後の再生要求指示に対してエラーの応答回数を決定してもよく、制御手段は、サーボ動作失敗時、エラー応答を行う動作中のピックアップ位置制御において、エラー発生アドレスより任意のアドレス分オフセットを付加して再度、サーボ制御を再開する動作を行ってもよい。
【００５１】
本発明に係る光ディスク再生装置の他の実施形態は、上記構成に加え、再生動作指示にてストリーミング動作要求があるときのみ以降の再生要求に対して一定時間、エラー応答を行うかあるいは読み出し動作エラー発生後の再生要求指示に対してエラーの応答回数を決定する動作を行ってもよく、エラー発生後の再生要求指示に対してエラー応答する一定期間の時間を設定するための外部インターフェースを備えてもよく、再生動作でエラーが発生し、ディスク状記録媒体より所望のデータの読み出しに失敗した場合、ダミーデータを出力するか、一定期間エラー応答するかの動作を設定するための外部インターフェースを備えてもよい。
【００５２】
本発明に係る光ディスク記録再生装置の一実施形態は、ディスク状記録媒体にデータを記録するデータ記録手段と、ディスク状記録媒体に記録されたデータを再生して再生データを出力するデータ再生手段と、再生データを誤り訂正処理する誤り訂正手段とを備えた光ディスク記録再生装置において、誤り訂正手段により正常な誤り訂正が行われなかった場合、以降の再生要求に対して一定時間、エラー応答を行う制御手段を備えたことを特徴とする。
データ記録手段としては、例えば、レーザダイオードを用いたピックアップが挙げられる。
【００５３】
本発明に係る光ディスク記録再生装置の他の実施形態は、ディスク状記録媒体にデータを記録するデータ記録手段と、ディスク状記録媒体に記録されたデータを再生して再生データを出力するデータ再生手段と、再生データを誤り訂正処理する誤り訂正手段と、誤り訂正手段の出力データを一時保持して後段の処理に出力するバッファメモリとを備えた光ディスク記録再生装置において、誤り訂正手段により誤り訂正困難な再生データが検出、もしくはデータ再生動作自体が失敗したことを検出した場合、以降の再生要求に対して一定時間、エラー応答を行う制御手段を備えたことを特徴とする。
【００５４】
本発明に係る光ディスク記録再生装置の他の実施形態は、上記構成に加え、ディスク状記録媒体のデータフォーマットを判別する判別手段及び、再生動作時の転送レートを測定する測定手段を有し、制御手段は、読み出し動作エラー発生後の再生要求指示に対してエラーの応答回数を決定してもよく、制御手段は、サーボ動作失敗時、エラー応答を行う動作中のピックアップ位置制御において、エラー発生アドレスより任意のアドレス分オフセットを付加して再度、サーボ制御を再開する動作を行ってもよい。
【００５５】
本発明に係る光ディスク記録再生装置の他の実施形態は、上記構成に加え、制御手段は、再生動作指示にてストリーミング動作要求があるときのみ以降の再生要求に対して一定時間、エラー応答を行うかあるいは読み出し動作エラー発生後の再生要求指示に対してエラーの応答回数を決定する動作を行ってもよく、エラー発生後の再生要求指示に対してエラー応答する一定期間の時間を設定するための外部インターフェースを備えてもよく、再生動作でエラーが発生し、ディスク状記録媒体より所望のデータの読み出しに失敗した場合、ダミーデータを出力するか、一定期間エラー応答するかの動作を設定するための外部インターフェースを備えてもよい。
【００５６】
本発明に係る光ディスク再生方法の一実施形態は、ディスク状記録媒体に記録されたデータを再生して再生データを出力し、再生データを誤り訂正処理する光ディスク再生方法において、正常な誤り訂正が行われなかった場合、以降の再生要求に対して一定時間、エラー応答を行うことを特徴とする。
【００５７】
本発明に係る光ディスク再生方法の他の実施形態は、ディスク状記録媒体に記録されたデータを再生して再生データを出力し、再生データの誤り訂正処理を行い、誤り訂正処理された出力データを一時保持して後段の処理に出力する光ディスク再生方法において、誤り訂正困難な再生データが検出、もしくはデータ再生動作自体が失敗したことを検出した場合、以降の再生要求に対して一定時間、エラー応答を行うことを特徴とする。
【００５８】
本発明に係る光ディスク再生方法の他の実施形態は、上記構成に加え、ディスク状記録媒体のデータフォーマットを判別し、再生動作時の転送レートを測定し、読み出し動作エラー発生後の再生要求指示に対してエラーの応答回数を決定してもよく、サーボ動作失敗時、エラー応答を行う動作中のピックアップ位置制御において、エラー発生アドレスより任意のアドレス分オフセットを付加して再度、サーボ制御を再開する動作を行ってもよい。
【００５９】
本発明に係る光ディスク再生方法の他の実施形態は、上記構成に加え、再生動作指示にてストリーミング動作要求があるときのみ以降の再生要求に対して一定時間、エラー応答を行うかあるいは読み出し動作エラー発生後の再生要求指示に対してエラーの応答回数を決定する動作を行ってもよく、エラー発生後の再生要求指示に対してエラー応答する一定期間の時間を外部から設定してもよく、再生動作でエラーが発生し、ディスク状記録媒体より所望のデータの読み出しに失敗した場合、ダミーデータを出力するか、一定期間エラー応答するかの動作を外部から設定してもよい。
【００６０】
本発明に係る光ディスク記録再生方法の一実施形態は、ディスク状記録媒体にデータを記録し、ディスク状記録媒体に記録されたデータを再生して再生データを出力し、再生データを誤り訂正処理する光ディスク記録再生方法において、正常な誤り訂正が行われなかった場合、以降の再生要求に対して一定時間、エラー応答を行うことを特徴とする。
【００６１】
本発明に係る光ディスク記録再生方法の他の実施形態は、ディスク状記録媒体にデータを記録し、ディスク状記録媒体に記録されたデータを再生して再生データを出力し、再生データを誤り訂正処理し、誤り訂正処理された出力データを一時保持して後段の処理に出力する光ディスク記録再生方法において、誤り訂正困難な再生データが検出、もしくはデータ再生動作自体が失敗したことを検出した場合、以降の再生要求に対して一定時間、エラー応答を行うことを特徴とする。
【００６２】
本発明に係る光ディスク記録再生方法の他の実施形態は、上記構成に加え、ディスク状記録媒体のデータフォーマットを判別し、再生動作時の転送レートを測定し、読み出し動作エラー発生後の再生要求指示に対してエラーの応答回数を決定してもよく、サーボ動作失敗時、エラー応答を行う動作中のピックアップ位置制御において、エラー発生アドレスより任意のアドレス分オフセットを付加して再度、サーボ制御を再開する動作を行ってもよい。
【００６３】
本発明に係る光ディスク記録再生方法の他の実施形態は、上記構成に加え、再生動作指示にてストリーミング動作要求があるときのみ以降の再生要求に対して一定時間、エラー応答を行うかあるいは読み出し動作エラー発生後の再生要求指示に対してエラーの応答回数を決定する動作を行ってもよく、エラー発生後の再生要求指示に対してエラー応答する一定期間の時間を外部から設定してもよく、再生動作でエラーが発生し、ディスク状記録媒体より所望のデータの読み出しに失敗した場合、ダミーデータを出力するか、一定期間エラー応答するかの動作を外部から設定してもよい。
【００６４】
本発明に係る光ディスク再生プログラムの一実施形態は、装置の実質的なコンピュータに、ディスク状記録媒体に記録されたデータを再生して再生データを出力する処理、再生データを誤り訂正処理する処理を実行させる光ディスク再生プログラムにおいて、コンピュータに、正常な誤り訂正が行われなかった場合、以降の再生要求に対して一定時間、エラー応答を行う処理を実行させることを特徴とする。
【００６５】
本発明に係る光ディスク再生プログラムの他の実施形態は、装置の実質的なコンピュータに、ディスク状記録媒体に記録されたデータを再生して再生データを出力する処理、誤り訂正手段により再生データの誤り訂正を行う処理、バッファメモリにより誤り訂正手段の出力データを一時保持して後段の処理に出力する処理を実行させる光ディスク再生プログラムにおいて、コンピュータに、誤り訂正手段により誤り訂正困難な再生データが検出、もしくはデータ再生動作自体が失敗したことを検出した場合、以降の再生要求に対して一定時間、エラー応答を行う処理を実行させることを特徴とする。
【００６６】
本発明に係る光ディスク再生プログラムの他の実施形態は、上記構成に加え、コンピュータに、判別手段によりディスク状記録媒体のデータフォーマットを判別させる処理、測定手段により再生動作時の転送レートを測定する処理、読み出し動作エラー発生後の再生要求指示に対してエラーの応答回数を決定する処理を実行させてもよく、コンピュータに、サーボ動作失敗時、エラー応答を行う動作中のピックアップ位置制御において、エラー発生アドレスより任意のアドレス分オフセットを付加して再度、サーボ制御を再開する動作を行う処理を実行させてもよい。
【００６７】
本発明に係る光ディスク再生プログラムの他の実施形態は、上記構成に加え、コンピュータに、再生動作指示にてストリーミング動作要求があるときのみ以降の再生要求に対して一定時間、エラー応答を行うかあるいは読み出し動作エラー発生後の再生要求指示に対してエラーの応答回数を決定する動作処理を実行させてもよく、記コンピュータに、外部インターフェースが、エラー発生後の再生要求指示に対してエラー応答する一定期間の時間を設定する処理を実行させてもよく、コンピュータに、外部インターフェースが、再生動作でエラーが発生し、ディスク状記録媒体より所望のデータの読み出しに失敗した場合、ダミーデータを出力するか、一定期間エラー応答するかの動作を設定する処理を実行させてもよい。
【００６８】
本発明に係る光ディスク記録再生プログラムの一の実施形態は、装置の実質的なコンピュータに、ディスク状記録媒体にデータを記録するデータ記録処理、ディスク状記録媒体に記録されたデータを再生して再生データを出力するデータ再生処理、再生データを誤り訂正処理する誤り訂正処理を実行させる光ディスク記録再生プログラムにおいて、コンピュータに、正常な誤り訂正が行われなかった場合、以降の再生要求に対して一定時間、エラー応答を行う処理を実行させることを特徴とする。
【００６９】
本発明に係る光ディスク記録再生プログラムの他の実施形態は、装置の実質的なコンピュータに、ディスク状記録媒体にデータを記録するデータ記録処理、ディスク状記録媒体に記録されたデータを再生して再生データを出力するデータ再生処理と、再生データを誤り訂正処理する誤り訂正処理、バッファメモリに誤り訂正手段の出力データを一時保持して後段の処理に出力する処理を実行させる光ディスク記録再生プログラムにおいて、コンピュータに、誤り訂正手段により誤り訂正困難な再生データが検出、もしくはデータ再生動作自体が失敗したことを検出した場合、以降の再生要求に対して一定時間、エラー応答を行う処理を実行させることを特徴とする。
【００７０】
本発明に係る光ディスク記録再生プログラムの他の実施形態は、上記構成に加え、コンピュータに、ディスク状記録媒体のデータフォーマットを判別する判別処理、再生動作時の転送レートを測定する測定処理、読み出し動作エラー発生後の再生要求指示に対してエラーの応答回数を決定する処理を実行させてもよく、コンピュータに、サーボ動作失敗時、エラー応答を行う動作中のピックアップ位置制御において、エラー発生アドレスより任意のアドレス分オフセットを付加して再度、サーボ制御を再開する動作を行う処理を実行させてもよい。
【００７１】
本発明に係る光ディスク記録再生プログラムの他の実施形態は、上記構成に加え、コンピュータに、再生動作指示にてストリーミング動作要求があるときのみ以降の再生要求に対して一定時間、エラー応答を行うかあるいは読み出し動作エラー発生後の再生要求指示に対してエラーの応答回数を決定する動作を行う処理を実行させてもよく、コンピュータに、外部インターフェースがエラー発生後の再生要求指示に対してエラー応答する一定期間の時間を設定する処理を実行させてもよく、コンピュータに、再生動作でエラーが発生し、ディスク状記録媒体より所望のデータの読み出しに失敗した場合、ダミーデータを出力するか、一定期間エラー応答するかの動作を外部インターフェースが設定する処理を実行させてもよい。
【００７２】
本発明に係る光ディスク再生プログラムを記録した記録媒体の一実施形態は、装置の実質的なコンピュータに、ディスク状記録媒体に記録されたデータを再生して再生データを出力する処理、再生データを誤り訂正処理する処理を実行させる光ディスク再生プログラムを記録した記録媒体において、コンピュータに、正常な誤り訂正が行われなかった場合、以降の再生要求に対して一定時間、エラー応答を行う処理を実行させる光ディスク再生プログラムを記録したことを特徴とする。
記録媒体としては、例えば、フレキシブルディスク、ハードディスク、光ディスク、光磁気ディスク、フラッシュメモリ、ＣＤ−ＲＯＭ、ＣＤ−Ｒ、磁気テープ、不揮発性メモリカード、ＲＯＭ、ＥＥＰＲＯＭ等が挙げられる。
【００７３】
本発明に係る光ディスク再生プログラムを記録した記録媒体の他の実施形態は、装置の実質的なコンピュータに、ディスク状記録媒体に記録されたデータを再生して再生データを出力する処理、誤り訂正手段により再生データの誤り訂正を行う処理、バッファメモリにより誤り訂正手段の出力データを一時保持して後段の処理に出力する処理を実行させる光ディスク再生プログラムを記録した記録媒体において、コンピュータに、誤り訂正手段により誤り訂正困難な再生データが検出、もしくはデータ再生動作自体が失敗したことを検出した場合、以降の再生要求に対して一定時間、エラー応答を行う処理を実行させる光ディスク再生プログラムを記録したことを特徴とする。
【００７４】
本発明に係る光ディスク再生プログラムを記録した記録媒体の他の実施形態は、上記構成に加え、コンピュータに、判別手段によりディスク状記録媒体のデータフォーマットを判別させる処理、測定手段により再生動作時の転送レートを測定する処理、読み出し動作エラー発生後の再生要求指示に対してエラーの応答回数を決定する処理を実行させる光ディスク再生プログラムを記録してもよく、コンピュータに、サーボ動作失敗時、エラー応答を行う動作中のピックアップ位置制御において、エラー発生アドレスより任意のアドレス分オフセットを付加して再度、サーボ制御を再開する動作を行う処理を実行させる光ディスク再生プログラムを記録してもよい。
【００７５】
本発明に係る光ディスク再生プログラムを記録した記録媒体の他の実施形態は、上記構成に加え、コンピュータに、再生動作指示にてストリーミング動作要求があるときのみ以降の再生要求に対して一定時間、エラー応答を行うかあるいは読み出し動作エラー発生後の再生要求指示に対してエラーの応答回数を決定する動作処理を実行させる光ディスク再生プログラムを記録してもよく、コンピュータに、外部インターフェースが、エラー発生後の再生要求指示に対してエラー応答する一定期間の時間を設定する処理を実行させる光ディスク再生プログラムを記録してもよく、コンピュータに、外部インターフェースが、再生動作でエラーが発生し、ディスク状記録媒体より所望のデータの読み出しに失敗した場合、ダミーデータを出力するか、一定期間エラー応答するかの動作を設定する処理を実行させる光ディスク再生プログラムを記録してもよい。
【００７６】
本発明に係る光ディスク記録再生プログラムを記録した記録媒体の一実施形態は、装置の実質的なコンピュータに、ディスク状記録媒体にデータを記録するデータ記録処理、ディスク状記録媒体に記録されたデータを再生して再生データを出力するデータ再生処理、再生データを誤り訂正処理する誤り訂正処理を実行させる光ディスク記録再生プログラムを記録した記録媒体において、コンピュータに、正常な誤り訂正が行われなかった場合、以降の再生要求に対して一定時間、エラー応答を行う処理を実行させる光ディスク記録再生プログラムを記録してもよい。
【００７７】
本発明に係る光ディスク再生プログラムを記録した記録媒体の他の実施形態は、装置の実質的なコンピュータに、ディスク状記録媒体にデータを記録するデータ記録処理、ディスク状記録媒体に記録されたデータを再生して再生データを出力するデータ再生処理と、再生データを誤り訂正処理する誤り訂正処理、バッファメモリに誤り訂正手段の出力データを一時保持して後段の処理に出力する処理を実行させる光ディスク記録再生プログラムを記録した記録媒体において、コンピュータに、誤り訂正手段により誤り訂正困難な再生データが検出、もしくはデータ再生動作自体が失敗したことを検出した場合、以降の再生要求に対して一定時間、エラー応答を行う処理を実行させる光ディスク記録再生プログラムを記録してもよい。
【００７８】
本発明に係る光ディスク再生プログラムを記録した記録媒体の他の実施形態は、上記構成に加え、コンピュータに、ディスク状記録媒体のデータフォーマットを判別する判別処理、再生動作時の転送レートを測定する測定処理、読み出し動作エラー発生後の再生要求指示に対してエラーの応答回数を決定する処理を実行させる光ディスク記録再生プログラムを記録してもよく、コンピュータに、サーボ動作失敗時、エラー応答を行う動作中のピックアップ位置制御において、エラー発生アドレスより任意のアドレス分オフセットを付加して再度、サーボ制御を再開する動作を行う処理を実行させる光ディスク記録再生プログラムを記録してもよい。
【００７９】
本発明に係る光ディスク再生プログラムを記録した記録媒体の他の実施形態は、上記構成に加え、コンピュータに、再生動作指示にてストリーミング動作要求があるときのみ以降の再生要求に対して一定時間、エラー応答を行うかあるいは読み出し動作エラー発生後の再生要求指示に対してエラーの応答回数を決定する処理を実行させる光ディスク記録再生プログラムを記録してもよく、コンピュータに、外部インターフェースがエラー発生後の再生要求指示に対してエラー応答する一定期間の時間を設定する処理を実行させる光ディスク記録再生プログラムを記録してもよく、コンピュータに、再生動作でエラーが発生し、ディスク状記録媒体より所望のデータの読み出しに失敗した場合、ダミーデータを出力するか、一定期間エラー応答するかの動作を外部インターフェースが設定する処理を実行させる光ディスク記録再生プログラムを記録してもよい。
【実施例】
【００８０】
次に本発明に係る光ディスク記録再生装置の実施例について説明する。
図１は本発明に係る光ディスク記録再生装置としての光ディスクビデオ録画再生装置の一実施例のブロック図である。
同図に示すように、光ディスクビデオ録画再生装置１は、ディスク状記録媒体としての光ディスク２からデータの記録再生動作を行う光ディスク記録再生部３と、映像、音声信号の符号化、復号化及びコンテンツ管理情報の制御を行うビデオシステム制御部４とで構成される。
【００８１】
光ディスク記録再生部３は、光ディスク２を回転させるモータ５、光ピックアップ６、光ピックアップ６を光ディスク２の半径方向に移動させる粗動モータ７、モータ５の回転を制御する回転制御部８、粗動モータ７の回転を制御する粗動制御部９、ピックアップ制御部１０、信号処理部１１、不揮発性メモリ１２、実質的なコンピュータとしての第２システムコントローラ１３及びキャッシュメモリ１４とで構成される。
【００８２】
ビデオシステム制御部４は、インターフェース部１５、チューナ部１６、アナログ音声入力部としての音声ADC（アナログディジタル変換器）１７、アナログ映像入力部としての映像ADC１８、コンテンツ符号化部１９、コンテンツ復号化部２０、アナログ映像出力部としての映像DAC（ディジタルアナログ変換器）２１、アナログ音声出力部としての音声DAC２２、実質的なコンピュータとしての第１システムコントローラ２３、グラフィックコントローラ２４とで構成される。
【００８３】
第１システムコントローラ２３は、各装置をコントロールするものであり、インターフェース部１５を介してコマンド処理による光ディスク記録再生部３を制御する。
光ディスク２に記録された映像データの再生動作を行う場合のデータフローを説明する。
【００８４】
1.  光ディスク２より、光ピックアップ６にて検出された記録信号は信号処理部１１に入力される。
2.  記録信号は、信号処理部１１により、EFM復調された後、エラー訂正処理が行われ、CD-ROMやDVD-ROMなどメディアの論理フォーマットで規定されているデータにフォーマット化されキャッシュメモリ１４に一時的に蓄積される。
3.  第１システムコントローラ２３より、光ディスク記録再生部３に対してインターフェース部１５を介してデータ読み出しを行う。本実施例ではこのインターフェース部１５をATAPIバスとする。
4.  読み出し動作は、このATAPIバスで規定されているREADコマンドを発行することにより光ディスク記録再生部３で所望のディスク位置からデータを取得することが出来る。
記録信号は、コンテンツ復号化部２０に入力され、MPEG等の圧縮データがデコードされ、復号化された映像、音声信号はそれぞれ映像DAC２１、音声DAC２２へ出力される。
5.  アナログ映像、音声信号出力は、DAC２１、２２によりアナログ信号へ変換し、出力される。
【００８５】
次に図２を参照して図１に示した装置の正常時のデータ読み出し動作について説明する。
図２において、左の軸がビデオシステム制御部４（図１参照）の動作を示し、右の軸が光ディスク記録再生部３（図１参照）の動作を示し、インターフェース部１５（図１参照）を介したコマンド及びデータのトランズアクションを図示したものである。
図２において、縦方向が時間経過を表す。
2-1.  ビデオシステム制御部４にてユーザより指示された再生コンテンツのデータが保存されているアドレス情報及び一度の送信で受信するデータ長の情報を伴ったREADコマンドを送信する。
2-2.  光ディスク記録再生部３は、このREADコマンドを受信することをトリガーして、要求アドレスへシーク動作を行い所望の位置からデータ読み出し動作を開始する。
2-3.  要求されたデータ長分をバッファメモリ（図示せず）に読み出す。
2-4.  コマンドレスポンスに読み出しデータを付加したレスポンスパケットとしてビデオシステム制御部４に送信する。映像再生動作ではこの動作を再生要求分繰り返し行う。
【００８６】
次に図３を参照して従来技術の読み出し動作について説明する。
図３の構成は前述した図２と同様である。
3-1.  ビデオシステム制御部よりREADコマンド送信
3-2.  光ディスク再生部にてREADコマンド受信
3-3.  ディスク欠陥部などの影響によりサーボ制御が不可能もしくは、読み出したデータが訂正不能な場合など正常なデータが取得できないことが発生。
3-4.  転送バッファにダミーデータをセット。予め準備しておき、転送データへのポインタ指示を変更することでも可能。
3-5.  READコマンド応答送信。データはダミーデータ。コマンド応答動作自体は正常動作とする。
【００８７】
次に図４を参照して本発明に係る光ディスク記録再生装置の読み出し動作について説明する。
4-1.  ビデオシステム制御部よりREADコマンド送信。
4-2.  光ディスク再生部にてREADコマンド受信。
4-3.  ディスク欠陥部などの影響によりサーボ制御が不可能もしくは、読み出したデータが訂正不能な場合など正常なデータが取得できないことが発生。リード動作のリトライを実効する。このときタイマーを起動し、リトライ動作の経過時間を測定開始する。またリトライ動作自体のカウントも行う。
4-4.  一定時間経過もしくは、リトライ動作カウント数が規定回数に達した時点で異常終了のREADコマンド応答を送信する。
4-5.  READコマンド応答受信。
4-6.  前回のリード要求アドレスに1セクタ、DVDの場合は最低１ECCブロック分オフセットを加えたアドレスを指定したREADコマンドを送信。
4-7.  READコマンド受信。
4-8.  READコマンド異常終了を即座（「即座」とは受信したREADコマンドに対して、対応した一連の実動作をさせずに、エラー応答を行う意味である。）に応答。
4-9.  READコマンド異常終了通知を受信。
4-10.  前回のリード要求アドレスに1セクタ、DVDの場合は最低１ECCブロック分オフセットを加えたアドレスを指定したREADコマンドを送信。
4-11.  READコマンド受信。
4-12.  一定時間内であることを判定し、時間内の場合は異常終了応答をする。
4-13.  READコマンド応答受信この一連の動作を繰り返し行う。(4-14〜4-17)
4-18.  READコマンド送信。
4-19.  READコマンド受信  このとき、一定時間を過ぎたことを判定し、図２で述べた正常なリード動作を実行する。
4-20.  正常に取得できたデータをREADコマンド応答にて送信。
4-21.  READコマンド応答受信。
【００８８】
図４に示した動作に於いて、READコマンドに対して即座に異常終了を通知する期間を、予め測定しておいたビデオデータ転送レートを元に、1回のREADコマンドでの要求データ長から算出してもよい。
【００８９】
以下に算出例を示す。
DVD Videoフォーマットに準拠したディスク再生動作の場合、1秒間に送信するデータの転送レートは最大で10.08Mbpsである。この最大転送レートを持つディスク再生動作に於いて、ディスク欠陥部などの影響によりデータ読み出し動作が失敗した場合、リトライ動作などを行うが、この動作に掛かった時間をタイマーなどにより測定しておく。リトライ動作が3秒掛かった場合、送信出来なかったデータ量は、
10.08Mbps × 3 sec ＝ 30.24Mbit＝3.78MByte ・・・・・・ (1)
ビデオシステム制御部から送信されるREADコマンドでの要求データ長を
１ECC Block＝32Kbyte・・・・・・・・・・・・・・・・・・・(2)
異常応答するREADコマンドの回数＝(1)÷(2)＝115.35＜ 116回
以上から、上記条件によるREADコマンドに対するエラー通知即応する回数は116回となる。
この算出例では３秒間分のデータがディスクから読み出せなかった場合であり、実際にデータが読み出せていないので、映像が全く途切れないということはないが、116回エラー通知することによりデータが読み出しが可能になってからの映像復帰が速くなることを意味する。正常な映像再生への復帰が速くなるという意味では、連続性が高くなる（途切れた時間が短い）ということになる。
【００９０】
〔効果〕
再生要求に対して、読み出し動作でエラーが発生した場合、一定時間は再生要求に対してエラー応答を行うことにより、ディスク状記録媒体上の物理的な欠陥部を通常動作よりも速くピックアップが通過することにより、再生映像の正常化を速めることが出来る。また欠陥部が大きい場合、サーボリトライ動作が多発することにより、再生要求に対する応答が遅くなることを防ぐことができる。
【００９１】
ディスク状記録媒体に記録されたデータのビットレートから映像データが欠落した時間を算出することができ、ディスク状記録媒体上の欠陥部などの再生動作への影響を最小限にすることが出来る。
【００９２】
ディスク状記録媒体上の欠陥部を避けてサーボ動作を復帰することが出来るため、不用意なサーボリトライ動作による再生要求への応答時間の遅延を防ぐことが出来る。
【００９３】
ストリーミング動作要求のみ行うことにより、ディスク状記録媒体上のファイルシステムデータ部の読み出しなどではこのストリーミング動作を行わないことで、再生動作の信頼性が保証される。
【００９４】
ビデオシステム制御部の映像データ復調部の動作仕様に合わせて、エラー即応する時間を調整することが可能となり、映像再生動作の最適化を図ることが出来る。
【００９５】
ビデオシステム制御部の映像データ復調部の動作仕様に合わせて、ダミーデータ送信もしくはエラー即応答するかを選択することで、ビデオシステム制御部と光ディスク再生装置との組み合わせの選択枝を増やすことが出来る。
【図面の簡単な説明】
【００９６】
【図１】本発明に係る光ディスク記録再生装置としての光ディスクビデオ録画再生装置の一実施例のブロック図である。
【図２】図１に示した装置の正常時のデータ読み出し動作についての説明図である。
【図３】従来技術の読み出し動作についての説明図である。
【図４】本発明に係る光ディスク記録再生装置の読み出し動作についての説明図である。
【符号の説明】
【００９７】
１    光ディスク記録再生装置
２    光ディスク
３    光ディスク記録再生部
４    ビデオシステム制御部
５    モータ
６    光ピックアップ
７    粗動モータ
８    回転制御部
９    粗動制御部
１０    ピックアップ制御部
１１    信号処理部
１２    不揮発性メモリ
１３    第２システムコントローラ
１４    キャッシュメモリ
１５    インターフェース部
１６    チューナ部
１７    音声ADC
１８    映像ADC
１９    コンテンツ符号化部
２０    コンテンツ復号化部
２１    映像DAC
２２    音声DAC
２３    第１システムコントローラ
２４    グラフィックコントローラ
【図１】
2007026500.tif 000003
【図２】
2007026500.tif 000004
【図３】
2007026500.tif 000005
【図４】
2007026500.tif 000006